(57)【要約】【課題】通信装置において否定応答信号（ＮＡＣＫ信号）を誤受信した際に、当該通信装置からデータの再送が行われないことによる通信相手装置での受信データの欠落を未然に防止し得る通信装置及びデータの再送制御方法を提供すること。【解決手段】通信装置において、肯定応答信号（ＡＣＫ信号）の信頼度に基づいて、データの再送を決定することにより、否定応答信号（ＮＡＣＫ信号）を肯定応答信号（ＡＣＫ信号）と誤受信した場合において、通信装置からデータの再送が行われないという不都合を回避することができる。【選択図】　　　図３
2004064691.tif 000002
【特許請求の範囲】
【請求項１】
受信された信号が、通信相手装置におけるデータの受信結果を表す信号である場合に、その信号の信頼度を求める信頼度算出手段と、
前記信頼度算出手段の算出結果に基づいて、前記受信された信号が通信相手装置における受信の成功を表す肯定応答信号であるか、又は受信の失敗を表す否定応答信号であるかを判定する判定手段と、
前記判定手段の判定結果に基づいて、前記データの再送制御を行う再送制御手段と、
を具備することを特徴とする通信装置。
【請求項２】
前記判定手段は、前記受信された信号が、前記肯定応答信号である場合に、前記算出結果に基づく判定を行うことを特徴とする請求項１記載の通信装置。
【請求項３】
前記信頼度算出手段は、前記通信相手装置からの上り回線の受信品質を前記信頼度として用いることを特徴とする請求項１記載の通信装置。
【請求項４】
前記受信品質は、前記通信相手装置から送信された肯定応答信号又は否定応答信号に対応した受信シンボルに基づいて求めることを特徴とする請求項３記載の通信装置。
【請求項５】
前記受信品質は、前記通信相手装置から送信された前記肯定応答信号又は前記否定応答信号の複数回分に基づいて求めることを特徴とする請求項４記載の通信装置。
【請求項６】
前記受信品質は、前記通信相手装置から送信された肯定応答信号又は否定応答信号に多重されたパイロット信号に対応する受信シンボルに基づいて求めることを特徴とする請求項３記載の通信装置。
【請求項７】
前記受信品質は、前記通信相手装置から送信された前記パイロット信号の複数回分に基づいて求めることを特徴とする請求項６記載の通信装置。
【請求項８】
前記受信品質は、前記通信相手装置から送信された肯定応答信号又は否定応答信号に対応する受信シンボルと、前記通信相手装置から送信されたパイロット信号に対応する受信シンボルとに基づいて求めることを特徴とする請求項３記載の通信装置。
【請求項９】
前記受信品質は、前記肯定応答信号又は前記否定応答信号の複数回分と、前記パイロット信号の複数回分とに基づいて求めることを特徴とする請求項８記載の通信装置。
【請求項１０】
前記信頼度算出手段は、予めテーブル化された、測定された受信品質の最高値と実際の受信品質を表す値との関係に基づいて、測定された受信品質に対して想定される実際の受信品質の最低値を前記信頼度とすることを特徴とする請求項３記載の通信装置。
【請求項１１】
前記データの再送の有無に基づいて、前記判定手段の判定閾値を変化させる閾値決定手段を具備することを特徴とする請求項１記載の通信装置。
【請求項１２】
受信された信号が、通信相手装置におけるデータの受信結果を表す信号である場合に、その信号の信頼度を求める信頼度算出ステップと、
前記信頼度算出ステップの算出結果に基づいて、前記受信された信号が通信相手装置における受信の成功を表す肯定応答信号であるか、又は受信の失敗を表す否定応答信号であるかを判定する判定ステップと、
前記判定ステップの判定結果に基づいて、前記データの再送制御を行う再送制御ステップと、
を具備することを特徴とするデータの再送制御方法。
【発明の詳細な説明】
【０００１】
【発明の属する技術分野】
本発明は、例えば、下り回線で高速パケット伝送を行う無線通信システムに使用される通信装置及びデータの再送制御方法に適用するに好適である。
【０００２】
【従来の技術】
従来、例えば無線通信システムの分野において、高速大容量な下りチャネルを複数の通信端末装置（移動局）が共有し、下り回線で高速パケット伝送を行うＨＳＤＰＡ（Ｈｉｇｈ　Ｓｐｅｅｄ　Ｄｏｗｎｌｉｎｋ　Ｐａｃｋｅｔ　Ａｃｃｅｓｓ）等が提案されている。ＨＳＤＰＡ等の高速パケット伝送方式では、スロット等の時間単位又は拡散符号を用いた多重化を行う。個々の通信端末装置が基地局装置からの下り回線の伝搬路の状態を観測し、その観測結果を基地局装置に対して報告する。
【０００３】
基地局装置は、通信端末装置からのその伝搬路状態の報告（ＨＳＤＰＡではＣＱＩ（Ｃｈａｎｎｅｌ　Ｑｕａｌｉｔｙ　Ｉｎｄｉｃａｔｏｒ）信号に相当する）に基づいて、状態のよい通信端末装置を選択し、送信するスケジューリング技術、伝搬路の状態に応じて適応的に変調方式及び誤り訂正符号（ＭＣＳ：Ｍｏｄｕｌａｔｉｏｎ　ａｎｄ　Ｃｏｄｉｎｇ　Ｓｃｈｅｍｅ）を変更する適応変調技術等、伝送効率を高める技術が用いられている。
【０００４】
基地局装置は、スケジューリング及び適応変調を行いながら各通信端末装置に対する送信を行う。通信端末装置は、受信データの受信品質が満足される場合には、受信成功を意味するＡＣＫ（ＡＣＫｎｏｗｌｅｄｇｍｅｎｔ）信号（肯定応答信号）を基地局装置に対して送信する。また、これに対して、受信データの受信品質が満足されなかった場合には、受信失敗を意味するＮＡＣＫ（Ｎｅｇａｔｉｖｅ　ＡＣＫｎｏｗｌｅｄｇｍｅｎｔ）信号（否定応答信号）を基地局装置に対して送信する。
【０００５】
基地局装置は、ＮＡＣＫ信号を受信すると、同じデータを再送信するようにスケジューリングを行う。このように、ＡＣＫ信号及びＮＡＣＫ信号は、基地局装置が通信端末装置に対してデータを再送するか否かを決定する重要な情報となっている。
【０００６】
ここで、従来の基地局装置の構成を図１１に示す。すなわち、図１１は、従来の基地局装置の構成を示すブロック図であり、この基地局装置１０は、アンテナ１１を介して受信された受信信号を、共用器１２を介して受信ＲＦ（Ｒａｄｉｏ　Ｆｒｅｑｕｅｎｃｙ）部１３に受ける。
【０００７】
受信ＲＦ部１３は、無線周波数の受信信号をベースバンドのディジタル信号に変換し、これを逆拡散部１４に供給する。逆拡散部１４、ＲＡＫＥ合成部１５及び復調部１６は、無線通信を行う通信端末装置の数だけ用意され、受信ＲＦ部１３から供給される受信ベースバンド信号に対して逆拡散処理、ＲＡＫＥ合成処理及び誤り訂正復号処理等の復調処理を順次施すことにより、各通信端末装置（ユーザ）ごとの復調データを得る。
【０００８】
この復調データは、送信先決定部５１及び変調方式決定部５２にそれぞれ供給される。送信先決定部５１は、復調部１６から供給された信号がＡＣＫ信号又はＮＡＣＫ信号のいずれであるかに基づいて、同じデータを再送信するか否かを判断する。
【０００９】
すなわち、復調部１６から供給された信号がＮＡＣＫ信号である場合、このことは、このＮＡＣＫ信号の送信元の通信端末装置において、受信の失敗があったことを意味しており、送信先決定部５１は、このＮＡＣＫ信号に基づいて、対応する通信端末装置に対して、先に送信したデータ（♯ｉ）を再送信することを決定する。
【００１０】
これに対して、復調部１６から供給された信号がＡＣＫ信号である場合、このことは、このＡＣＫ信号の送信もとの通信端末装置において、受信を成功したことを意味しており、送信先決定部５１は、このＡＣＫ信号に基づいて、対応する通信端末装置に対して、次のデータ（♯ｉ＋１）を送信することを決定する。
【００１１】
このようにして送信先決定部５１において決定された送信先の通信端末装置を表す情報及び送信データを特定する情報は、データ選択部５３に供給される。データ選択部５３は、各通信端末装置に対する送信データを選択する。
【００１２】
また、変調方式決定部５２は、復調部１６から供給される下り回線状況報告情報としてのＣＱＩ信号に基づいて、符号化率及び変調方式を決定し、その決定結果を符号化部５４及び適応変調部５５に供給する。
【００１３】
符号化部５４は、変調方式決定部５２から供給された符号化率を表す情報に基づく符号化率によって、送信データを符号化する。また、適応変調部５５は、符号化部５４から供給された符号化データ（パケットデータ）に対して、変調方式決定部５２によって決定された変調方式を用いて変調を行う。変調方式としては、ＱＰＳＫ（Ｑｕａｔｅｒｎａｒｙ　Ｐｈａｓｅ　Ｓｈｉｆｔ　Ｋｅｙｉｎｇ）、１６ＱＡＭ（Ｑｕａｄｒａｔｕｒｅ　Ａｍｐｌｉｔｕｄｅ　Ｍｏｄｕｌａｔｉｏｎ）、６４ＱＡＭ等の方式のなかから選択決定される。
【００１４】
これにより、符号化部５４及び適応変調部５５において、ＣＱＩ信号に基づく符号化及び変調が行われる。
【００１５】
適応変調部５５において変調されたデータは、拡散部５６において拡散処理された後、多重部５７に供給される。多重部５７は、各通信端末装置に送信する個別データを多重し、これを送信ＲＦ部５８に供給する。送信ＲＦ部５８は、多重部５７から供給されたベースバンドのディジタル信号を無線周波数の信号に変換し、これを共用器１２及びアンテナ１１を介して送信する。
【００１６】
このように、従来の基地局装置１０では、各通信端末装置から送信される、ＡＣＫ信号又はＮＡＣＫ信号に基づいて、データ再送の判断を行うようになされている。
【００１７】
【発明が解決しようとする課題】
ところで、通信端末装置（移動局：ＭＳ）は、基地局装置１０からデータを誤りなく受信できたか否かを基地局装置１０に対してＡＣＫ信号又はＮＡＣＫ信号によって報告するようになされている。しかしながら、あるデータ♯ｉの受信が失敗したことを表すＮＡＣＫ信号を通信端末装置が基地局装置１０に対して送信したにも関わらず、基地局装置１０において、このＮＡＣＫ信号をＡＣＫ信号として誤受信した場合には、この基地局装置１０は、データ♯ｉについては、通信端末装置において受信が成功したと判断し、このデータ♯ｉに続くデータ♯ｉ＋１の送信処理に移ることとなる。
【００１８】
従って、通信端末装置では、データ♯ｉの受信に失敗したにもかかわらず、基地局装置１０において、このデータ♯ｉに続くデータ♯ｉ＋１の送信処理に移行することとなって、通信端末装置では、受信に失敗したデータ♯ｉが欠落する結果となる問題があった。
【００１９】
すなわち、図１２は、基地局装置及び通信端末装置（移動局装置）の間でのデータの送受信の手順を示すシーケンス図である。この図１２では、通信端末装置（移動局装置）から基地局装置に対して送信されたＡＣＫ信号及びＮＡＣＫ信号のいずれをも、基地局装置において正しく受信した場合を示す。
【００２０】
この図１２に示すように、通信端末装置（移動局装置）から基地局装置に対して、下り回線伝送路品質報告（ＣＱＩ）が送信されると、基地局装置は、このＣＱＩ信号に基づく符号化率及び変調方式によって、データ♯１〜♯Ｎを送信する処理に入る。
【００２１】
そしてこの処理において、基地局装置は、まず、ＨＳ−ＳＣＣＨ（Ｓｈａｒｅｄ　Ｃｏｎｔｒｏｌ　Ｃｈａｎｎｅｌ　ｏｆ　ＨＳ−ＰＤＳＣＨ）によって通信端末装置（移動局）やＭＣＳを指定する。因みに、ＨＳ−ＳＣＣＨは、下り方向の共有チャネルであり、リソース割り当てに関する情報（ＴＦＲＩ：Ｔｒａｎｓｐｏｒｔ−ｆｏｒｍａｔ　ａｎｄ　Ｒｅｓｏｕｒｃｅ　ｒｅｌａｔｅｄ　Ｉｎｆｏｒｍａｔｉｏｎ）、Ｈ−ＡＲＱ（Ｈｙｂｒｉｄ−Ａｕｔｏｍａｔｉｃ　Ｒｅｐｅａｔ　Ｒｅｑｕｅｓｔ）制御に関する情報等が伝送される。
【００２２】
続いて、基地局装置は、ＨＳ−ＰＤＳＣＨ（Ｈｉｇｈ　Ｓｐｅｅｄ　−　Ｐｈｙｓｉｃａｌ　ＤｏｗｎｌｉｎｋＳｈａｒｅｄ　Ｃｈａｎｎｅｌ）によってデータ♯１を送信する。因みに、ＨＳ−ＰＤＳＣＨは、パケットの伝送に使用される下り方向の共有チャネルである。通信端末装置は、データ♯１の受信に成功すると、ＡＣＫ信号を送信することによって、受信成功報告を基地局装置に対して行う。
【００２３】
通信端末装置からのＡＣＫ信号の受信に成功した基地局装置は、これに続いて、データ♯２の送信を、データ♯１の場合と同様にして行う。そして、通信端末装置が、このデータ♯２の受信に失敗した場合、当該通信端末装置は、ＮＡＣＫ信号を送信することによって、受信失敗報告を基地局装置に対して行う。
【００２４】
通信端末装置からのＮＡＣＫ信号の受信に成功した基地局装置は、再度、データ♯２を送信する。このようにして、基地局装置は、通信端末装置から送信されるＡＣＫ信号又はＮＡＣＫ信号を正しく受信した場合には、その限りにおいて、ＡＣＫ信号又はＮＡＣＫ信号に応じた処理（次のデータの送信、又はデータの再送信）を行うことができ、データ♯１〜データ♯Ｎを確実に通信端末装置に受信させることができる。
【００２５】
これに対して、図１３は、基地局装置において、通信端末装置から送信されたＡＣＫ信号の受信に失敗し、このＡＣＫ信号をＮＡＣＫ信号として誤受信した場合の例を示すシーケンス図である。
【００２６】
図１３に示すように、データ♯２の受信に成功した通信端末装置から、当該成功したことを意味するＡＣＫ信号が送信されることにより、基地局装置に対して受信成功報告がなされる。そして、基地局装置が、このＡＣＫ信号の受信に失敗すると、ＡＣＫ信号をＮＡＣＫ信号として誤受信することとなり、基地局装置は、この受信結果（誤受信の結果）に基づいて、通信端末装置がデータ♯２の受信に失敗したと判断する。
【００２７】
そして、基地局装置は、この判断結果に基づいて、データ♯２を再度送信する。この結果、通信端末装置は、ＡＣＫ信号を送信しているにもかかわらず、同じデータ♯２を再度受信することとなる。このように、基地局装置が、ＡＣＫ信号の受信に失敗して、ＡＣＫ信号の受信をＮＡＣＫ信号の受信と誤判断した場合では、同じデータ♯２が再度基地局装置から送信されることとなるが、その後、当該データ♯２の再送の受信に通信端末装置が成功すると、この通信端末装置から、ＡＣＫ信号が再び送信されることになり、基地局装置が、このＡＣＫ信号の受信に成功すれば、次のデータ♯３の送信処理に移行することとなり、同じデータ♯２が複数回送信されるだけであって、通信端末装置において、データが欠落するといったデータの復調上、重大な不都合が生じることはない。
【００２８】
これに対して、図１４は、基地局装置において、通信端末装置から送信されたＮＡＣＫ信号の受信に失敗し、このＮＡＣＫ信号をＡＣＫ信号として誤受信した場合の例を示すシーケンス図である。
【００２９】
図１４に示すように、データ♯２の受信に失敗した通信端末装置から、当該失敗したことを意味するＮＡＣＫ信号が送信されることにより、基地局装置に対して受信失敗報告がなされる。そして、基地局装置が、このＮＡＣＫ信号の受信に失敗すると、ＮＡＣＫ信号をＡＣＫ信号として誤受信することとなり、基地局装置は、この受信結果（誤受信の結果）に基づいて、通信端末装置がデータ♯２の受信に成功したと判断する。
【００３０】
そして、基地局装置は、この判断結果に基づいて、データ♯２に続くデータ♯３を送信する。この結果、通信端末装置は、ＮＡＣＫ信号を送信しているにもかかわらず、受信に失敗したデータ♯２を再度受信することができず、このデータ♯２が欠落した状態となる。このように、基地局装置が、ＮＡＣＫ信号の受信に失敗して、ＮＡＣＫ信号の受信をＡＣＫ信号の受信と誤判断した場合では、再送要求があるにもかかわらず、基地局装置からその再送要求のあったデータ♯２が送信されなくなることにより、通信端末装置では、このデータ♯２が欠落した状態となる。このように、通信端末装置にデータの欠落が生じることは、受信データの復調に必要なデータがかけているという重大な不都合が生じることとなる。
【００３１】
この点に関して、３ＧＰＰにおける標準化では、ＮＡＣＫ信号の誤り率が１０−４以下（ＡＣＫ信号の誤り率は１０−２以下）を満たすことが要求条件となっている。
【００３２】
しかしながら、ＴＳＧ　Ｒ１−０２−０３６４，　ＬＧ　Ｅｌｅｃｔｒｏｎｉｃｓ，“Ｏｎ　ｔｈｅ　ＨＳ−ＤＰＣＣＨ　ｐｅｒｆｏｒｍａｎｃｅ　ｗｉｔｈ　ｃｏｎｓｉｄｅｒａｔｉｏｎ　ｏｆ　ｔｈｅ　ｃｈａｎｎｅｌ　ｅｓｔｉｍａｔｉｏｎ”によれば、チャネル推定を３スロットとすることで受信性能が改善するものの、移動局（通信端末装置）が３０［ｋｍ／ｈ］で移動した場合には、エラーフロアが生じ、要求されている性能を満たすことが困難になると考えられる。
【００３３】
また、単純にＡＣＫ信号及びＮＡＣＫ信号の復調を行う基地局装置の場合、エラーフロアの分だけ、ＮＡＣＫ信号をＡＣＫ信号と誤判定することになり、スループットの低下は免れない。
【００３４】
さらに、今後標準化において改善案が導入されたとしても、劣悪な伝搬路において常に上記要求を満たすことは困難であると考えられる。そして、仮にＮＡＣＫ信号の誤り率が１０−４以下という条件を満足した場合であっても、Ｎ個すべてのデータが揃わないとデータが復元困難である場合には、Ｎ個のデータのうちの１つがＮＡＣＫ信号の誤受信により欠落しても、すべてのデータを再送信する必要が生じ、スループットが大きく劣化するという問題がある。
【００３５】
本発明はかかる点に鑑みてなされたものであり、否定応答信号（ＮＡＣＫ信号）の誤受信による受信データの欠落を未然に防止し得る通信装置及びデータの再送制御方法を提供することを目的とする。
【００３６】
【課題を解決するための手段】
本発明の通信装置は、受信された信号が、通信相手装置におけるデータの受信結果を表す信号である場合に、その信号の信頼度を求める信頼度算出手段と、前記信頼度算出手段の算出結果に基づいて、前記受信された信号が通信相手装置における受信の成功を表す肯定応答信号であるか、又は受信の失敗を表す否定応答信号であるかを判定する判定手段と、前記判定手段の判定結果に基づいて、前記データの再送制御を行う再送制御手段と、を具備する構成を採る。
【００３７】
この構成によれば、通信相手の受信結果を表す情報を受信した場合に、この情報の信頼度が低い場合には、その情報の内容を変えることにより、実際に通信相手装置から送信された受信結果を表す情報に基づく処理を行うことができる。
【００３８】
本発明の通信装置は、上記構成において、前記判定手段は、前記受信された信号が、前記肯定応答信号である場合に、前記算出結果に基づく判定を行う構成を採る。
【００３９】
この構成によれば、受信された信号が肯定応答信号である場合に、その信頼度に基づく判定を行うことにより、否定応答信号を誤受信した結果としての肯定応答信号であった場合に、データ再送が行われなくなるといった不都合を防止することができる。従って、通信相手装置におけるデータの欠落を回避することができる。
【００４０】
本発明の通信装置は、上記構成において、前記信頼度算出手段は、前記通信相手装置からの上り回線の受信品質を前記信頼度として用いる構成を採る。
【００４１】
本発明の通信装置は、上記構成において、前記受信品質は、前記通信相手装置から送信される肯定応答信号又は否定応答信号に対応した受信シンボルに基づいて求める構成を採る。
【００４２】
本発明の通信装置は、上記構成において、前記受信品質は、前記通信相手装置から送信される前記肯定応答信号又は前記否定応答信号の複数回分に基づいて求める構成を採る。
【００４３】
本発明の通信装置は、上記構成において、前記受信品質は、前記通信相手装置から送信される肯定応答信号又は否定応答信号に多重されたパイロット信号に対応する受信シンボルに基づいて求める構成を採る。
【００４４】
本発明の通信装置は、上記構成において、前記受信品質は、前記通信相手装置から送信される前記肯定応答又は前記否定応答信号の複数回分に基づいて求める構成を採る。
【００４５】
本発明の通信装置は、上記構成において、前記受信品質は、前記通信相手装置から送信された肯定応答信号又は否定応答信号に対応する受信シンボルと、前記通信相手装置から送信されたパイロット信号に対応する受信シンボルとに基づいて求める構成を採る。
【００４６】
本発明の通信装置は、上記構成において、前記受信品質は、前記肯定応答信号又は前記否定応答信号の複数回分と、前記パイロット信号の複数回分とに基づいて求める構成を採る。
【００４７】
これらの構成によれば、実際に測定された受信品質に基づいて、信頼度を求めることができるので、実際に通信相手装置から送信されたものが肯定応答信号であるか又は否定応答信号であるかについて、状況に合った判断をすることができる。また、肯定応答信号又は否定応答信号の複数回分、及び／又はパイロット信号の複数回分に基づいて信頼度を求めることにより、求められた信頼度のばらつきを少なくすることができ、肯定応答信号又は否定応答信号の複数回分と、パイロット信号の複数回分を用いる処理を併用することで、さらに一段とばらつきを少なくすることができるとともに、一層正確な信頼度を求めることが可能となる。
【００４８】
本発明の通信装置は、上記構成において、前記信頼度算出手段は、予めテーブル化された、測定された受信品質の最高値と実際の受信品質を表す値との関係に基づいて、測定された受信品質に対して想定される実際の受信品質の最低値を前記信頼度とする構成を採る。
【００４９】
この構成によれば、受信品質が変化することの対策として、信頼できるか否かの判定閾値を、想定し得る範囲で厳しく設定することにより、誤判定を防止することができる。
【００５０】
本発明の通信装置は、上記構成において、前記データの再送の有無に基づいて、前記判定手段の判定閾値を変化させる閾値決定手段を具備する構成を採る。
【００５１】
この構成によれば、再送が行われた場合には、再び再送が必要となる環境であると仮定して、判定閾値を厳しく設定することにより、状況に合わせた判定を行うことが可能となる。
【００５２】
本発明のデータの再送制御方法は、受信された信号が、通信相手装置におけるデータの受信結果を表す信号である場合に、その信号の信頼度を求める信頼度算出ステップと、前記信頼度算出ステップの算出結果に基づいて、前記受信された信号が通信相手装置における受信の成功を表す肯定応答信号であるか、又は受信の失敗を表す否定応答信号であるかを判定する判定ステップと、前記判定ステップの判定結果に基づいて、前記データの再送制御を行う再送制御ステップと、を具備するようにした。
【００５３】
この方法によれば、通信相手の受信結果を表す情報を受信した場合に、この情報の信頼度が低い場合には、その情報の内容を変えることにより、実際に通信相手装置から送信された受信結果を表す情報に基づく処理を行うことができる。
【００５４】
【発明の実施の形態】
本発明の骨子は、基地局装置において受信されたＡＣＫ信号の信頼度を求め、信頼度が低い場合は、否定応答信号（ＮＡＣＫ信号）を肯定応答信号（ＡＣＫ信号）と誤受信したものとして、データを再送信することである。
【００５５】
以下、本発明の実施の形態について、添付図面を参照して詳細に説明する。
【００５６】
図１は、本発明の実施の形態のシステム構成図である。
【００５７】
図１において、制御局（ＲＮＣ）１００は、複数の基地局装置（ＮｏｄｅＢ）２００と有線接続し、各基地局装置２００は、複数の通信端末装置（ＵＥ）３００と無線通信を行う。なお、以下の説明では、制御局装置１００が２つの基地局装置２００と有線接続し、各基地局装置２００が３つの通信端末装置３００と無線通信を行う場合を想定する。
【００５８】
次に、制御局装置１００の構成について図２のブロック図を用いて説明する。
【００５９】
信号処理部１０１は、接続する基地局装置の数だけ用意され、通信端末装置３００から送信され、基地局装置２００にて復号された信号を入力し、この信号をネットワーク網で伝送するに適した状態に処理し、分離部１０２に出力する。
【００６０】
分離部１０２は、接続する基地局装置の数だけ用意され、信号処理部１０１の出力信号からデータと制御信号を分離する。データは、ネットワーク網に出力される。分離部１０２にてデータと分離された制御信号の中には、通信端末装置３００が測定した周辺基地局装置の共通制御チャネルの受信電力を示す信号（以下、「受信電力信号」という）等が含まれる。
【００６１】
ハンドオーバ制御部１０３は、受信電力信号に基づいて各通信端末装置についてＨＯ状態にあるか否か、すなわち、セルエッジに存在するか否かを判定し、判定結果を示す信号（以下、「ＨＯ端末信号」という）をＴＰＣ生成方法選択部１０４に出力する。
【００６２】
ＴＰＣ生成方法選択部１０４は、接続する基地局装置の数だけ用意され、ＨＳＤＰＡサービスを受ける通信端末装置であって、かつ、ＨＯ状態であるものに対して、プライマリ基地局装置のＡ−ＤＰＣＨの受信ＳＩＲが目標ＳＩＲとなるようにＴＰＣコマンドを生成する方法（以下、「プライマリ基準のＴＰＣコマンド生成方法」という）を選択する。一方、ＨＳＤＰＡサービスを受ける通信端末装置であって、かつ、ＨＯ状態にないものに対して、接続する基地局装置のＤＰＣＨあるいはＡ−ＤＰＣＨの受信ＳＩＲの合成値が目標ＳＩＲとなるようにＴＰＣコマンドを生成する方法（以下、「合成値基準のＴＰＣコマンド生成方法」という）を選択する。そして、ＴＰＣ生成方法選択部１０４は、選択したＴＰＣコマンド生成方法を示す信号（以下、「ＴＰＣ生成方法信号」という）を多重部（ＭＵＸ）１０５に出力する。
【００６３】
多重部１０５は、接続する基地局装置の数だけ用意され、ネットワーク網からの入力信号にＴＰＣ生成方法信号を多重して、信号処理部１０６に出力する。信号処理部１０６は、接続する基地局装置の数だけ用意され、多重部１０５の出力信号を基地局装置で伝送するに適した状態に処理し、多重部１０７に出力する。
【００６４】
多重部１０７は、接続する基地局装置の数だけ用意され、信号処理部１０６の出力信号にパケット伝送用制御信号及びＨＳ−ＳＣＣＨのＡ−ＤＰＣＨに対する送信電力のオフセット値を示すオフセット信号等を多重して基地局装置２００に出力する。
【００６５】
次に、本発明に係る通信装置の一例である基地局装置２００の構成について図３のブロック図を用いて説明する。基地局装置２００は、各端末装置に送信するための個別データ、パケットデータ、パケット伝送用制御信号及びオフセット信号を制御局装置１００から入力する。また、基地局装置２００は、接続中の通信端末装置から無線送信された信号を受信する。
【００６６】
共用器２０２は、アンテナ２０１に受信された信号を受信ＲＦ部２０３に出力する。また、共用器２０２は、送信ＲＦ部２６６から出力された信号をアンテナ２０１から無線送信する。
【００６７】
受信ＲＦ部２０３は、共用器２０２から出力された無線周波数の受信信号をベースバンドのディジタル信号に変換し、復調部２０４に出力する。
【００６８】
復調部２０４は、無線通信を行う通信端末装置の数だけ用意され、受信ベースバンド信号に対して逆拡散、ＲＡＫＥ合成、誤り訂正復号等の復調処理を行い、分離部２０５に出力する。
【００６９】
分離部２０５は、復調部２０４の出力信号をデータと制御信号とに分離する。分離部２０５にて分離された制御信号には、ＤＬ（Ｄｏｗｎ　Ｌｉｎｋ）用ＴＰＣコマンド、ＣＱＩ信号、ＡＣＫ／ＮＡＣＫ信号、受信電力信号等が含まれる。ＣＱＩ信号及びＡＣＫ／ＮＡＣＫ信号はスケジューラ２５１に出力され、ＤＬ用ＴＰＣコマンドは送信電力制御部２５８に出力され、データ及び受信電力信号は制御局装置１００に出力される。
【００７０】
ＳＩＲ測定部２０６は、無線通信を行う通信端末装置の数だけ用意され、復調の過程で測定される希望波レベル及び干渉波レベルによって上り回線の受信ＳＩＲを測定し、ＳＩＲを示す信号をＴＰＣコマンド生成部２０７に出力する。この実施の形態の場合、受信ＳＩＲの測定には、受信されたＡＣＫ／ＮＡＣＫ信号に対応した受信シンボルを用いるようになされている。
【００７１】
ＴＰＣコマンド生成部２０７は、無線通信を行う通信端末装置の数だけ用意され、上り回線の受信ＳＩＲと目標ＳＩＲとの大小関係により、上り回線の送信電力の増減を指示するＵＬ（Ｕｐ　Ｌｉｎｋ）用ＴＰＣコマンドを生成する。
【００７２】
また、ＳＩＲ測定部２０６は、測定した上り回線の受信ＳＩＲ（Ｓｉｇｎａｌ　ｔｏ　Ｉｎｔｅｒｆｅｒｅｎｃｅ　Ｒａｔｉｏ）を、信頼度算出部２１１に出力する。信頼度算出部２１１は、ＳＩＲ測定部２０６において測定された受信ＳＩＲの測定結果（これを測定ＳＩＲと呼ぶ）に基づいて、信頼度を求める。
【００７３】
この信頼度を求める際に、信頼度算出部２１１は、予め記憶している入力ＳＩＲと測定ＳＩＲ（最大値）との関係を示すテーブルを用いるようになされている。すなわち、図４は、信頼度算出部２１１に記憶されている、入力ＳＩＲと測定ＳＩＲ（最大値）との関係を実測値に基づいて表したテーブルである。この図４において、入力ＳＩＲとは、実際のＳＩＲを意味し、測定ＳＩＲとは測定されたＳＩＲを意味する。
【００７４】
この図４に示すように、測定ＳＩＲは、測定環境や信号レベルによってばらつきが生じるものであり、例えば、実際のＳＩＲ（入力ＳＩＲ）が同じ値であっても、測定ＳＩＲの値は、最大値から最小値までの間でばらつくこととなる。
【００７５】
従って、信頼度算出部２１１に記憶されているテーブルとしては、最大の測定ＳＩＲと入力ＳＩＲとの関係が用いられる。これにより、測定ＳＩＲから当該テーブルを用いて求められる入力ＳＩＲ（実際のＳＩＲ）は、常に最小値（最悪値）となるようになっており、このようにして求められた実際のＳＩＲ（入力ＳＩＲ）は、そのまま信頼度として用いられる。この結果、実際のＳＩＲ値よりも大きなＳＩＲ値が信頼度として用いられること、すなわち、実際の信頼度よりも高い信頼度が得られることがなくなる。このことは、ＡＣＫ信号の信頼度として、実際の信頼度よりも高い信頼度が求められることによる弊害（ＡＣＫ信号の信頼度が低く、これをＮＡＣＫ信号として判定すべきところを、ＡＣＫ信号として判定してしまうこと）を防止することができる。
【００７６】
信頼度算出部２１１は、このようにして得られた信頼度をＡＣＫ／ＮＡＣＫ判定部２１２に出力する。ＡＣＫ／ＮＡＣＫ判定部２１２は、信頼度算出部２１１から供給された信頼度に基づいて、このとき復調されたＡＣＫ信号を予め設定されている所定の閾値に基づいて判定する。
【００７７】
図５は、ＡＣＫ／ＮＡＣＫ判定部２１２における判定処理手順を示すフローチャートである。この図５に示すように、ＡＣＫ／ＮＡＣＫ判定部２１２は、ステップＳＴ１１１において、分離部２０５から出力される復調結果がＡＣＫ信号であるか否かを判定する。
【００７８】
そして、ステップＳＴ１１１において否定結果が得られると、このことは、復調された信号がＮＡＣＫ信号であることを意味しており、このときＡＣＫ／ＮＡＣＫ判定部２１２は、復調されたＮＡＣＫ信号を判定結果としてスケジューラ２５１に出力する。これにより、復調結果がＮＡＣＫ信号である場合には、そのＮＡＣＫ信号がそのままスケジューラ２５１に供給される。
【００７９】
これに対してステップＳＴ１１１において肯定結果が得られると、このことは、復調された信号がＡＣＫ信号であることを意味しており、このときＡＣＫ／ＮＡＣＫ判定部２１２は、ステップＳＴ１１２に移って、信頼度算出部２１１において算出された信頼度（すなわち、このとき復調されたＡＣＫ信号の信頼度）が予め設定されている判定閾値よりも小さいか否かを判断する。
【００８０】
このステップＳＴ１１２において否定結果が得られると、このことは、信頼度算出部２１１において図４について上述したテーブルを用いて得られた信頼度（このとき復調されたＡＣＫ信号の信頼度）が、信頼するに足りる程度に高いことを意味しており、このときＡＣＫ／ＮＡＣＫ判定部２１２は、ステップＳＴ１１４に移って、判定結果を復調結果と同じＡＣＫ信号として、これをスケジューラ２５１に出力する。
【００８１】
これに対してステップＳＴ１１２において肯定結果が得られると、このことは、信頼度算出部２１１において図４について上述したテーブルを用いて得られた信頼度（このとき復調されたＡＣＫ信号の信頼度）が、信頼するに十分ではないことを意味しており、このときＡＣＫ／ＮＡＣＫ判定部２１２は、ステップＳＴ１１３に移って、判定結果を復調結果とは異なるＮＡＣＫ信号として、これをスケジューラ２５１に出力する。
【００８２】
かくして、ＡＣＫ／ＮＡＣＫ判定部２１２は、復調された信号がＡＣＫ信号であって、かつ、このＡＣＫ信号の信頼度が高い場合のみ、復調された信号（すなわち受信した信号）がＡＣＫ信号であると判定して、その判定結果をスケジューラ２５１に出力する。従って、ＡＣＫ／ＮＡＣＫ判定部２１２は、復調された信号がＮＡＣＫ信号である場合、又は復調された信号がＡＣＫ信号であって、かつ、その信頼度が低い場合には、復調された信号（すなわち受信した信号）がＮＡＣＫ信号であると判定して、その判定結果をスケジューラ２５１に出力する。
【００８３】
このように、基地局装置２００では、ＡＣＫ／ＮＡＣＫ判定部２１２において、受信した信号がＮＡＣＫ信号であれば、その信頼度に関わらずデータの再送を行うことにより、通信端末装置（移動局）に対して、少なくともデータの受信が失敗した可能性がある場合においてデータの再送が行われることとなり、通信端末装置におけるデータの欠落を防止することができる。
【００８４】
これに対して、ＡＣＫ／ＮＡＣＫ判定部２１２において、受信した信号がＡＣＫ信号である場合には、その信頼度を判定することにより、この復調結果（受信結果）であるＡＣＫ信号が、受信成功の結果としてのＡＣＫ信号であるか、又は、受信失敗の結果としてのＡＣＫ信号であるかを判断する。すなわち、受信成功の結果としてのＡＣＫ信号であれば、スケジューラ２５１は、そのＡＣＫ信号に基づいて、データの再送を行わずに次ぎのデータを送信することができる。これに対して、受信失敗の結果としてのＡＣＫ信号であれば、このＡＣＫ信号に基づいてデータの再送を行わないこととすると、通信端末装置において、データの欠落が生じることになるので、この場合には、ＡＣＫ／ＮＡＣＫ判定部２１２において、このＡＣＫ信号をＮＡＣＫ信号と判定し、スケジューラ２５１は、その判定結果に基づいて、データの再送を行うことにより、通信端末装置におけるデータの欠落を防止することができる。
【００８５】
かくして、基地局装置２００では、信頼度算出部２１１及びＡＣＫ／ＮＡＣＫ判定部２１２において、図５に示した処理手順を実行することにより、通信端末装置において、データの欠落が生じないようなスケジューリングを行うことが可能となる。
【００８６】
スケジューラ２５１は、各通信端末装置からのＣＱＩ信号及びパケット伝送用制御信号等に基づいてパケットを送信する通信端末装置（以下、「送信先装置」という）を決定し、送信先装置を示す情報をバッファ（Ｑｕｅｕｅ）２５２に出力する。その際、スケジューラ２５１は、ＡＣＫ／ＮＡＣＫ判定結果として、ＡＣＫ信号を入力した場合には新しいデータを送信するように、また、ＡＣＫ／ＮＡＣＫ判定結果として、ＮＡＣＫ信号を入力した場合には前回送信したデータを再送するようにバッファ２５２に指示する。また、スケジューラ２５１は、送信先装置のＣＱＩ信号に基づいて変調方式及び符号化率を決定し、変調部２５３に指示する。また、スケジューラ２５１は、パケットデータの送信電力を決定する際に参照となる信号を送信電力制御部２５４に出力する。なお、本発明においてはパケットデータの送信電力制御方法に制限はなく、パケットデータの送信電力制御を行わなくとも良い。また、スケジューラ２５１は、ＨＳ−ＳＣＣＨによって送信先装置に送信する信号（以下、「ＨＳ−ＳＣＣＨ用信号」という）を増幅部２６１に出力する。ＨＳ−ＳＣＣＨ用信号には、パケットデータを送信するタイミング、パケットデータの符号化率及び変調方式等を示す情報（ＴＦＲＩ）が含まれる。
【００８７】
バッファ２５２は、スケジューラ２５１に指示された送信先装置に対するパケットデータを変調部２５３に出力する。
【００８８】
変調部２５３は、スケジューラ２５１の指示に従ってパケットデータに対して誤り訂正符号化、変調及び拡散を行って増幅部２５５に出力する。
【００８９】
送信電力制御部２５４は、増幅部２５５の増幅量を制御することにより、変調部２５３の出力信号の送信電力を制御する。増幅部２５５の出力信号は、ＨＳ−ＰＤＳＣＨで送信される信号であって、多重部２６５に出力される。
【００９０】
多重部２５６は、無線通信を行う通信端末装置の数だけ用意され、各通信端末装置に送信する個別データ（制御信号も含む）にパイロット信号及びＵＬ用ＴＰＣコマンドを多重して変調部２５７に出力する。
【００９１】
変調部２５７は、無線通信を行う通信端末装置の数だけ用意され、多重部２５６の出力信号に対して誤り訂正符号化、変調及び拡散を行って増幅部２５９に出力する。
【００９２】
送信電力制御部２５８は、無線通信を行う通信端末装置の数だけ用意され、ＤＬ用ＴＰＣコマンドに従って増幅部２５９の増幅量を制御することにより、変調部２５７の出力信号の送信電力を制御する。また、送信電力制御部２５８は、送信電力値を示す信号を送信電力制御部２６０に出力する。増幅部２５９にて増幅された信号は、ＤＰＣＨ（Ａ−ＤＰＣＨを含む）で送信される信号であって、多重部２６５に出力される。
【００９３】
送信電力制御部２６０は、送信電力制御部２５８の送信電力値にオフセットをつけた値で増幅部２６１の増幅量を制御することにより、スケジューラ２５１から出力されたＨＳ−ＳＣＣＨ用信号の送信電力を制御する。増幅部２６１にて増幅された信号は、ＨＳ−ＳＣＣＨで送信される信号であって、多重部２６５に出力される。なお、送信電力制御部２６０は、再送状態等によりオフセット値を補正してもよい。
【００９４】
変調部２６２は、共通制御データに対して誤り訂正符号化、変調及び拡散を行って増幅部２６４に出力する。送信電力制御部２６３は、増幅部２６４の増幅量を制御することにより、変調部２６２の出力信号の送信電力を制御する。増幅部２６４の出力信号は、ＣＰＩＣＨ等で送信される信号であって、多重部２６５に出力される。
【００９５】
多重部２６５は、増幅部２５５、増幅部２５９、増幅部２６１及び増幅部２６４の各出力信号を多重し、送信ＲＦ部２６６に出力する。
【００９６】
送信ＲＦ部２６６は、多重部２６５から出力されたベースバンドのディジタル信号を無線周波数の信号に変換して共用器２０２に出力する。
【００９７】
次に、通信端末装置３００の構成について図６のブロック図を用いて説明する。通信端末装置３００は、基地局装置２００から個別データ、共通制御データ、パケットデータ、ＨＳ−ＳＣＣＨ用信号を受信する。
【００９８】
共用器３０２は、アンテナ３０１に受信された信号を受信ＲＦ部３０３に出力する。また、共用器３０２は、送信ＲＦ部３５８から出力された信号をアンテナ３０１から無線送信する。
【００９９】
受信ＲＦ部３０３は、共用器３０２から出力された無線周波数の受信信号をベースバンドのディジタル信号に変換し、ＨＳ−ＰＤＳＣＨの信号をバッファ３０４に出力し、ＨＳ−ＳＣＣＨ用信号を復調部３０５に出力し、ＤＰＣＨの信号を復調部３０８に出力し、共通制御チャネルの信号をＣＩＲ（Ｃａｒｒｉｅｒ　ｔｏ　Ｉｎｔｅｒｆｅｒｅｎｃｅ　Ｒａｔｉｏ）測定部３１３にする。
【０１００】
バッファ３０４は、ＨＳ−ＰＤＳＣＨの信号を一時的に保存して復調部３０６に出力する。
【０１０１】
復調部３０５は、ＨＳ−ＳＣＣＨ用信号に対して逆拡散、ＲＡＫＥ合成、誤り訂正復号等の復調処理を行い、自局宛パケットデータの到来タイミング、当該パケットデータの符号化率及び変調方式等、パケットデータの復調に必要な情報を取得して復調部３０６に出力する。
【０１０２】
復調部３０６は、復調部３０５にて取得された情報に基づいてバッファに保存されているＨＳ−ＰＤＳＣＨの信号に対して逆拡散、ＲＡＫＥ合成、誤り訂正復号等の復調処理を行い、復調処理によって得られたパケットデータを誤り検出部３０７に出力する。
【０１０３】
誤り検出部３０７は、復調部３０６から出力されたパケットデータに対して誤り検出を行い、誤りが検出されなかった場合にはＡＣＫ信号を、誤りが検出されなかった場合にはＮＡＣＫ信号を多重部３５１に出力する。
【０１０４】
復調部３０８は、ＤＰＣＨの信号に対して逆拡散、ＲＡＫＥ合成、誤り訂正復号等の復調処理を行い、分離部３０９に出力する。
【０１０５】
分離部３０９は、復調部３０８の出力信号をデータと制御信号とに分離する。分離部３０９にて分離された制御信号には、ＵＬ用ＴＰＣコマンド、ＴＰＣ生成方法信号等が含まれる。ＵＬ用ＴＰＣコマンドは送信電力制御部３５７に出力され、ＴＰＣ生成方法信号はＳＩＲ選択部３１１に出力される。
【０１０６】
ＳＩＲ測定部３１０は、復調の過程で測定される希望波レベル及び干渉波レベルによって下り回線の受信ＳＩＲを、接続する基地局装置毎に測定し、測定した全ての受信ＳＩＲをＳＩＲ選択部３１１に出力する。
【０１０７】
ＳＩＲ選択部３１１は、ＴＰＣ生成方法信号が合成値基準のＴＰＣコマンド生成方法を示す場合、受信ＳＩＲの合成値をＴＰＣコマンド生成部３１２に出力する。一方、ＳＩＲ選択部３１１は、ＴＰＣ生成方法信号がプライマリ基準のＴＰＣコマンド生成方法を示す場合、プライマリ基地局装置から送信された信号の受信ＳＩＲのみをＴＰＣコマンド生成部３１２に出力する。
【０１０８】
ＴＰＣコマンド生成部３１２は、ＳＩＲ選択部３１１から出力された受信ＳＩＲと目標ＳＩＲとの大小関係によりＤＬ用ＴＰＣコマンドを生成し、多重部３５４に出力する。
【０１０９】
ＣＩＲ測定部３１３は、プライマリ基地局装置からの共通制御チャネルの信号を用いてＣＩＲを測定し、測定結果をＣＱＩ生成部３１４に出力する。ＣＱＩ生成部３１４は、プライマリ基地局装置から送信された信号のＣＩＲに基づくＣＱＩ信号を生成して多重部３５１に出力する。
【０１１０】
受信電力測定部３１５は、プライマリ基地局装置以外の周辺基地局装置からの共通制御チャネルの受信電力を示す受信電力を測定して、受信電力信号を多重部３５１に出力する。
【０１１１】
多重部３５１は、ＣＱＩ信号、受信電力信号及びＡＣＫ／ＮＡＣＫ信号を多重して変調部３５２に出力する。変調部３５２は、多重部３５１の出力信号に対して誤り訂正符号化、変調及び拡散を行って多重部３５６に出力する。
【０１１２】
変調部３５３は、基地局装置２００に送信するデータに対して誤り訂正符号化、変調及び拡散を行って多重部３５６に出力する。
【０１１３】
多重部３５４は、ＤＬ用ＴＰＣコマンド、パイロット信号を多重して変調部３５５に出力する。変調部３５５は、多重部３５４の出力信号に対して誤り訂正符号化、変調及び拡散を行って多重部３５６に出力する。
【０１１４】
多重部３５６は、変調部３５２、変調部３５３及び変調部３５５の各出力信号を多重し、送信ＲＦ部３５８に出力する。この多重化では、ＡＣＫ／ＮＡＣＫ信号とパイロット信号とで異なる拡散符号を用いることで、コード多重を行う。
【０１１５】
送信電力制御部３５７は、ＵＬ用ＴＰＣコマンドに従って送信ＲＦ部３５８の増幅量を制御することにより、多重部３５６の出力信号の送信電力を制御する。なお、複数の基地局装置と接続している場合、送信電力制御部３５７は、全てのＵＬ用ＴＰＣコマンドが送信電力の上昇を指示する場合のみ送信電力を上昇させる制御を行う。
【０１１６】
送信ＲＦ部３５８は、多重部３５６から出力されたベースバンドのディジタル信号を増幅し、無線周波数の信号に変換して共用器３０２に出力する。
【０１１７】
以上の構成において、基地局装置２００は、通信端末装置（移動局）から送信されたＡＣＫ信号又はＮＡＣＫ信号に基づいて、データの再送信を行うか否かを判断する。
【０１１８】
すなわち、基地局装置２００は、受信した信号がＡＣＫ信号であると判断した場合には、データの再送は行わず、次のデータを送信することとなっている。従って、このＡＣＫ信号が受信されたと判断された場合、その信頼度によっては通信端末装置においてデータが欠落する可能性がある。
【０１１９】
そこで、本実施の形態の基地局装置２００では、この受信したＡＣＫ信号の信頼度を基に、当該ＡＣＫ信号をそのままＡＣＫ信号と判定して次のデータの送信に移行するか、又はＮＡＣＫ信号と判定してデータの再送信を行うかを決定している。
【０１２０】
これにより、元々通信端末装置から出力された信号がＮＡＣＫ信号であって、これを基地局装置２００がＡＣＫ信号を受信したものと誤受信した場合であっても、その信頼度に基づいて、ＮＡＣＫ信号を受信したものと判定することができる。すなわち、ＳＩＲが劣化した場合に誤受信が発生するものと考え、このＳＩＲを信頼度として求めて、この信頼度に基づいて誤受信の有無を判定する。
【０１２１】
因みに、図７は基地局装置２００及び通信端末装置（移動局装置）３００の間でのデータの送受信の手順を示すシーケンス図である。この図７に示すように、データ♯１の受信に成功した通信端末装置３００から基地局装置２００に対して、ＡＣＫ信号による受信成功報告が送信されると、基地局装置２００は、このＡＣＫ信号の信頼度に基づいて、そのＡＣＫ信号が真のＡＣＫ信号であるか、又はＮＡＣＫ信号を誤受信した結果であるかを判定する。
【０１２２】
この場合、通信端末装置３００は実際にＡＣＫ信号を送信していることにより、信頼度も所定の閾値よりも高くなっており、基地局装置２００ではこのＡＣＫ信号を信頼できるものと判定し、ＡＣＫ信号を受信したものとして、データ♯１に続くデータ♯２を送信する。
【０１２３】
また、通信端末装置３００において、このデータ♯２の受信に失敗すると、通信端末装置３００は、ＮＡＣＫ信号による受信失敗報告が送信される。基地局装置２００において、このＮＡＣＫ信号の受信に失敗すると、基地局装置２００では、復調された受信信号をＡＣＫ信号を誤判断するが、この場合には、そのＳＩＲが低くなっているのが一般的であり、基地局装置２００は、当該受信信号の信頼度に基づいて、ＡＣＫ信号として受信された信号をＮＡＣＫ信号として判定する。
【０１２４】
これにより、基地局装置２００は、ＡＣＫ信号を受信したものと誤判断した場合であっても、その信号の信頼度に基づいて、ＮＡＣＫ信号を受信したものと判定することにより、本来再送すべきデータ♯２の再送を確実に行うことができる。これにより、通信端末装置３００において、一度受信に失敗したデータ♯２の再送を受けることができ、データの欠落が発生することを防止することができる。
【０１２５】
このように、本実施の形態の基地局装置２００によれば、受信したＡＣＫ信号の信頼度が低い場合には、その信号をＮＡＣＫ信号と判定し、データを再送することにより、通信端末装置におけるデータの欠落を防止して、伝送効率の低下を防ぐことができる。
【０１２６】
なお、上述の実施の形態においては、ＡＣＫ／ＮＡＣＫ判定部２１２において予め用意されるテーブルとして、図４について上述したものを用いる場合について述べたが、本発明はこれに限らず、例えば図８に示すように、測定されたＳＩＲの値（ＳＩＲｍｅｓ）に対して、理想的な測定ＳＩＲの値よりも、固定値である幅（Ａ［ｄＢ］）だけ低くした値を入力ＳＩＲ（実際のＳＩＲ）として求めるようにしてもよく、また、この図８に示す算出方法と図４について上述した算出方法を併用するようにしてもよい。
【０１２７】
また、上述の実施の形態においては、ＡＣＫ／ＮＡＣＫ判定部２１２における判定閾値を固定（図４に示したＳＩＲｗｏｒｓｔ又は図８に示したＳＩＲｍｅｓ−Ａ）とした場合について述べたが、本発明はこれに限らず、可変としてもよい。
【０１２８】
すなわち、図３との対応部分に同一符号を付して示す図９は、判定閾値を可変とした場合の基地局装置２００の構成を示すブロック図である。この図９に示すように、基地局装置２００は、スケジューラ２５１において決定された再送情報を閾値決定部２２０に出力する。閾値決定部２２０は、上位レイヤで再送が発生すると、通信端末装置３００において受信の失敗すなわちデータの欠落が発生している状況であると判断して、閾値を大きくしてＡＣＫと判定する基準を厳しくする。
【０１２９】
これに対して、上位レイヤで再送が発生していない状態では、閾値を小さくしてＡＣＫと判定する基準を緩くする。
【０１３０】
この閾値決定処理手順を図１０に示す。図１０は閾値決定部２２０における閾値決定処理手順を示すフローチャートである。この図１０において、閾値決定部２２０は、ステップＳＴ１２１において、ある時間内に上位レイヤ（スケジューラの決定結果等）においてデータの再送が発生したか否かを判断する。
【０１３１】
ここで肯定結果が得られると、このことは、上位レイヤでデータの再送が発生していること、すなわち、通信端末装置３００から送信される信号がＮＡＣＫ信号であるにも関わらずＡＣＫ信号と誤受信する可能性が高くなっていることを意味しており、このとき閾値決定部２２０は、ステップＳＴ１２２に移って、ＡＣＫ／ＮＡＣＫ判定部２１２における信頼度の閾値（図４に示したＳＩＲｗｏｒｓｔ又は図８に示したＳＩＲｍｅｓ−Ａ）を大きくする。
【０１３２】
これにより、ＡＣＫ信号として受信された信号をそのままＡＣＫ信号として判定する際の基準が厳しくなる。
【０１３３】
これに対して、ステップＳＴ１２１において否定結果が得られると、このことは、データの再送が発生していないこと、すなわち、通信端末装置３００から送信される信号がＡＣＫ信号である可能性が高くなっていることを意味しており、このとき閾値決定部２２０は、ステップＳＴ１２３に移って、ＡＣＫ／ＮＡＣＫ判定部２１２における信頼度の閾値（図４に示したＳＩＲｗｏｒｓｔ又は図８に示したＳＩＲｍｅｓ−Ａ）を小さくする。
【０１３４】
これにより、ＡＣＫ信号として受信された信号をそのままＡＣＫ信号として判定する際の基準が緩くなる。
【０１３５】
このように、図９及び図１０の構成によれば、通信端末装置３００からＮＡＣＫ信号が送信される可能性が高い場合には、基地局装置２００において受信された信号がＡＣＫ信号であると判定されるための基準が厳しくなることにより、ＮＡＣＫ信号が誤受信によってＡＣＫ信号と判定されることを一段と厳しく回避することができる。
【０１３６】
また、上述の実施の形態においては、信頼度としてＳＩＲを用いる場合について述べたが、本発明はこれに限らず、例えばＳＮＲ（Ｓｉｇｎａｌ　ｔｏ　Ｎｏｉｓｅ　ｐｏｗｅｒ　Ｒａｔｉｏ）、ＳＩＮＲ（Ｓｉｇｎａｌ　ｔｏ　Ｉｎｔｅｒｆｅｒｅｎｃｅ　ｐｌｕｓ　Ｎｏｉｓｅ　ｐｏｗｅｒ　Ｒａｔｉｏ）又はＣＩＲ（Ｃａｒｒｉｅｒ　Ｉｎｔｅｒｆｅｒｅｎｃｅ　Ｒａｔｉｏ）等を用いるようにしてもよい。この場合、図３について上述した基地局装置２００のＳＩＲ測定部２０６において、受信ＳＩＮＲを測定し、この結果から干渉成分を差し引いた結果に基づいてＳＮＲを求めることができる。また、ＣＩＲについては、受信ＲＦ部２０３（図３）から出力される復調前の信号を用いて測定する。また、信頼度を求める場合、短時間（２［ｍｓ］）の受信信号を基に求めると、求められた信頼度にばらつきが生じることとなる。従って、このばらつきを解消するための対策として、図４又は図８について上述した、最悪値マージン又は固定オフセットを信頼度に加える方法に加えて、ＡＣＫ信号又はＮＡＣＫ信号の受信回数分の信頼度の平均を用いる方法、上り回線の個別物理制御チャネル（ＵＬ−ＤＰＣＣＨ）のＳＩＲと平均したものを信頼度とする方法、等を用いることができる。
【０１３７】
また、上述の実施の形態においては、復調の過程で測定される希望波レベル及び干渉波レベルによって上り回線の受信ＳＩＲを測定する方法として、ＡＣＫ／ＮＡＣＫ信号に対応した受信シンボルを用いる場合について述べたが、この場合、１つの受信シンボルから信頼度を求める方法に限らず、複数回測定されたＡＣＫ信号又はＮＡＣＫ信号の各受信シンボルに基づいて信頼度を求めるようにしてもよい。
【０１３８】
また、上述の実施の形態においては、復調の過程で測定される希望波レベル及び干渉波レベルによって上り回線の受信ＳＩＲを測定する方法として、ＡＣＫ／ＮＡＣＫ信号に対応した受信シンボルを用いる場合について述べたが、本発明はこれに限らず、コード多重または時間多重された、通信端末装置からのパイロット信号に対応する受信シンボルに基づいて、信頼度を求めるようにしてもよい。この場合、１つの受信シンボルから信頼度を求める方法に限らず、複数回測定されたパイロット信号の各受信シンボルに基づいて信頼度を求めるようにしてもよい。因みに、図６について上述した通信端末装置３００では、多重部３５６において、ＡＣＫ／ＮＡＣＫ信号とパイロット信号とで異なる拡散符号を用いた拡散処理を行うことにより、ＡＣＫ／ＮＡＣＫ信号にパイロット信号をコード多重するようにしたが、これに代え、パイロット信号をＡＣＫ／ＮＡＣＫ信号に時間多重するようにしてもよい。この場合、図６において、多重部３５１にＡＣＫ／ＮＡＣＫ信号及びパイロット信号を入力し、この多重部３５１においてこれらを時間多重する。
【０１３９】
また、上述の実施の形態においては、復調の過程で測定される希望波レベル及び干渉波レベルによって上り回線の受信ＳＩＲを測定する方法として、ＡＣＫ／ＮＡＣＫ信号に対応した受信シンボルを用いる場合について述べたが、本発明はこれに限らず、上記ＡＣＫ信号又はＮＡＣＫ信号から求めた信頼度と、上記パイロット信号から求めた信頼度とを、ＡＣＫ信号又はＮＡＣＫ信号とパイロット信号の電力オフセットを考慮して平均した値を用いることにより、ＡＣＫ信号又はＮＡＣＫ信号と、パイロット信号の両方を用いて信頼度を求めるようにしてもよい。
【０１４０】
また、上述の実施の形態においては、便宜上、Ｗ−ＣＤＭＡシステムに使用されるチャネルの名称を使用しているが、本発明は、Ｗ−ＣＤＭＡシステムに限らず、下り回線でパケット伝送を行う他システムにも適用することができる。
【０１４１】
また、上述の実施の形態においては、本発明を基地局装置に適用する場合について述べたが、本発明はこれに限らず、要は通信を行う装置に広く適用することができる。また、この場合、通信の方法としては、無線通信に限らず、有線通信を行うものであってもよい。
【０１４２】
また、上述の実施の形態においては、ＡＣＫ信号が受信された場合においてのみ、その信頼度に基づくＡＣＫ／ＮＡＣＫ判定を行う場合（図５）について述べたが、本発明はこれに限らず、ＮＡＣＫ信号が受信された場合においてもその信頼度に基づく判定を行うようにしてもよい。
【０１４３】
【発明の効果】
以上説明したように、本発明によれば、通信装置において、肯定応答信号（ＡＣＫ信号）の信頼度に基づいて、データの再送を決定することにより、否定応答信号（ＮＡＣＫ信号）を肯定応答信号（ＡＣＫ信号）と誤受信した場合において、通信装置からデータの再送が行われないという不都合を回避することができる。
【図面の簡単な説明】
【図１】本発明の実施の形態のシステム構成図
【図２】上記実施の形態に係る制御局装置の構成を示すブロック図
【図３】上記実施の形態に係る基地局装置の構成を示すブロック図
【図４】信頼度算出方法の説明に供する略線図
【図５】ＡＣＫ／ＮＡＣＫ判定処理手順を示すフローチャート
【図６】上記実施の形態に係る通信端末装置の構成を示すブロック図
【図７】基地局装置及び通信端末装置（移動局装置）の間でのデータの送受信の手順を示すシーケンス図
【図８】他の実施の形態による信頼度算出方法の説明に供する略線図
【図９】他の実施の形態に係る基地局装置の構成を示すブロック図
【図１０】他の実施の形態に係る閾値決定処理手順を示すフローチャート
【図１１】従来の基地局装置の構成を示すブロック図
【図１２】基地局装置及び通信端末装置（移動局装置）の間でのデータの送受信の手順を示すシーケンス図
【図１３】基地局装置及び通信端末装置（移動局装置）の間でのデータの送受信の手順を示すシーケンス図
【図１４】基地局装置及び通信端末装置（移動局装置）の間でのデータの送受信の手順を示すシーケンス図
【符号の説明】
１０３　ハンドオーバ制御部
１０４　ＴＰＣ生成方法選択部
２００　基地局装置
２０６　ＳＩＲ測定部
２１１　信頼度算出部
２１２　ＡＣＫ／ＮＡＣＫ判定部
２５１　スケジューラ
２５２　バッファ
２５３、２５７、２６２　変調部
２５４、２５８、２６０、２６３　送信電力制御部
２５５、２５９、２６１、２６４　増幅部
２５６、２６５　多重部
３００　通信端末装置
３０４　バッファ
３０５、３０６、３０８　復調部
３０７　誤り検出部
３１０　ＳＩＲ測定部
３１１　ＳＩＲ選択部
３１２　ＴＰＣコマンド生成部
【図１】
2004064691.tif 000003
【図２】
2004064691.tif 000004
【図３】
2004064691.tif 000005
【図４】
2004064691.tif 000006
【図５】
2004064691.tif 000007
【図６】
2004064691.tif 000008
【図７】
2004064691.tif 000009
【図８】
2004064691.tif 000010
【図９】
2004064691.tif 000011
【図１０】
2004064691.tif 000012
【図１１】
2004064691.tif 000013
【図１２】
2004064691.tif 000014
【図１３】
2004064691.tif 000015
【図１４】
2004064691.tif 000016